(57)【特許請求の範囲】
【請求項１】
記事サーバに対して通信可能に接続され、ブログの記事を作成するブログ記事作成装置と、表示部を備えた固定端末と、前記固定端末の前記表示部より小さい表示部を備えた携帯端末と、が相互に通信ネットワークを介して接続されたブログ記事作成システムであって、
前記ブログ記事作成装置は、
前記固定端末から入力された前記ブログの記事を受信するブログ受信手段と、
前記ブログ受信手段により受信した前記ブログの記事を記憶するブログ記事記憶手段と、
前記ブログ記事記憶手段に記憶されている前記ブログの記事に基づいて、ブログのユーザが興味を持つ分野を特定する分野特定手段と、
前記分野特定手段により特定された前記分野に対応する、Ｗｅｂページに含まれる記事を、前記記事サーバから取得する記事取得手段と、
前記記事取得手段により取得した前記記事を、前記ブログのユーザの前記携帯端末に対して電子メールで配信するメール配信手段と、
前記メール配信手段により前記携帯端末へ配信した前記記事サーバから取得した前記記事を含む前記電子メールに対して、前記携帯端末から返信された電子メールを受信するメール受信手段と、
前記メール受信手段により受信した前記返信された電子メールに記載されている、前記記事サーバから取得した前記記事と、前記携帯端末でユーザが追加入力した当該記事に関する感想等の返信の内容とを一緒にして１つのブログの記事を作成し、前記ブログ記事記憶手段に記憶させるブログ作成手段と、
前記ブログ記事記憶手段に記憶された前記ブログの記事を公開するブログ公開手段と、
前記記事を含む前記Ｗｅｂページに、前記ブログ公開手段により公開された前記ブログの記事のリンクを生成させるリンク生成手段と、
を備えるブログ記事作成システム。
【請求項２】
前記ブログ記事作成装置は、キーワードと、そのキーワードの属する分野とを関連付けて記憶する分野情報記憶手段を備え、
前記ブログ記事作成装置の前記分野特定手段は、前記ブログ記事記憶手段に記憶された前記ブログのユーザの前記ブログの記事に含まれるキーワードに基づいて、前記分野情報記憶手段を参照して、前記キーワードに対応する前記分野を特定する、
請求項１に記載のブログ記事作成システム。
【請求項３】
前記ブログ記事作成装置は、前記メール受信手段により受信した前記記事に関する返信を、他のブログのユーザの前記携帯端末に対して電子メールで配信するメール転送手段を備え、
前記ブログ記事作成装置の前記メール受信手段は、前記メール転送手段により配信した前記返信に関する更なる返信を、前記他のブログのユーザの前記携帯端末から電子メールで受信する、
請求項１又は請求項２に記載のブログ記事作成システム。
【請求項４】
記事サーバ、固定端末及び携帯端末に対して通信可能に接続され、ブログの記事を作成するブログ記事作成装置であって、
前記固定端末から入力された前記ブログの記事を受信するブログ受信手段と、
前記ブログ受信手段により受信した前記ブログの記事を記憶するブログ記事記憶手段と、
前記ブログ記事記憶手段に記憶されている前記ブログの記事に基づいて、ブログのユーザが興味を持つ分野を特定する分野特定手段と、
前記分野特定手段により特定された前記分野に対応する、Ｗｅｂページに含まれる記事を、前記記事サーバから取得する記事取得手段と、
前記記事取得手段により取得した前記記事を、前記ブログのユーザの前記携帯端末に対して電子メールで配信するメール配信手段と、
前記メール配信手段により前記携帯端末へ配信した前記記事サーバから取得した前記記事を含む前記電子メールに対して、前記携帯端末から返信された電子メールを受信するメール受信手段と、
前記メール受信手段により受信した前記返信された電子メールに記載されている、前記記事サーバから取得した前記記事と、前記携帯端末でユーザが追加入力した当該記事に関する感想等の返信の内容とを一緒にして１つのブログの記事を作成し、前記ブログ記事記憶手段に記憶させるブログ作成手段と、
前記ブログ記事記憶手段に記憶された前記ブログの記事を公開するブログ公開手段と、
前記記事を含む前記Ｗｅｂページに、前記ブログ公開手段により公開された前記ブログの記事のリンクを生成させるリンク生成手段と、
を備えるブログ記事作成装置。
【請求項５】
記事サーバに対して通信可能に接続され、ブログの記事を作成するブログ記事作成装置と、表示部を備えた固定端末と、前記固定端末の前記表示部より小さい表示部を備えた携帯端末と、が相互に通信ネットワークを介して接続されたブログ記事作成システムによるブログ記事作成方法であって、
前記ブログ記事作成装置が、前記固定端末から入力された前記ブログの記事を受信するブログ受信ステップと、
前記ブログ記事作成装置が、前記ブログ受信ステップにより受信した前記ブログの記事を記憶するブログ記事記憶ステップと、
前記ブログ記事作成装置が、記憶されている前記ブログの記事に基づいて、ブログのユーザが興味を持つ分野を特定する分野特定ステップと、
前記ブログ記事作成装置が、前記分野特定ステップにより特定された前記分野に対応する、Ｗｅｂページに含まれる記事を、前記記事サーバから取得する記事取得ステップと、
前記ブログ記事作成装置が、前記記事取得ステップにより取得した前記記事を、前記ブログのユーザの前記携帯端末に対して電子メールで配信するメール配信ステップと、
前記ブログ記事作成装置が、前記メール配信ステップにより前記携帯端末へ配信した前記記事サーバから取得した前記記事を含む前記電子メールに対して、前記携帯端末から返信された電子メールを受信するメール受信ステップと、
前記ブログ記事作成装置が、前記メール受信ステップにより受信した前記返信された電子メールに記載されている、前記記事サーバから取得した前記記事と、前記携帯端末でユーザが追加入力した当該記事に関する感想等の返信の内容とを一緒にして１つのブログの記事を作成し記憶させるブログ作成ステップと、
前記ブログ記事作成装置が、記憶された前記ブログの記事を公開するブログ公開ステップと、
前記ブログ記事作成装置が、前記記事を含む前記Ｗｅｂページに、前記ブログ公開ステップにより公開された前記ブログの記事のリンクを生成させるリンク生成ステップと、
を含むブログ記事作成方法。
【発明の詳細な説明】
【技術分野】
【０００１】
本発明は、ブログ記事作成システム、装置及び方法に関する。
【背景技術】
【０００２】
従来、ウェブログ（ｗｅｂｌｏｇ、「ブログ」ともいう）という、個人や複数人のグループで運営され、日々更新される日記的なＷｅｂサイトが、インターネット上で新しいメディアとして台頭している。Ｗｅｂサイトを構成するＷｅｂページの内容は、時事ニュースや専門的トピックスに関する、自らの専門や立場に根ざした分析や意見の表明であったり、他のサイトの著者と議論したりする形式であったりする。インターネットの普及につれて、ブロガーと呼ばれる多くのブログのユーザが、個人のＷｅｂサイトで日記をつけ始めている。そして、その内容は、広く一般に公開されている。
【０００３】
上述のように、ブロガーが時事ニュース等のユーザの興味のある記事を題材として、ブログの記事を書くことは、一般的である。このような状況において、ユーザの興味がある記事を音声変換してユーザに提供する情報配信装置が開示されている（例えば、特許文献１）。
【先行技術文献】
【特許文献】
【０００４】
【特許文献１】特開２００９−０９３５３９号公報
【発明の概要】
【発明が解決しようとする課題】
【０００５】
特許文献１に記載の情報配信装置を用いれば、ユーザにとって興味のある記事が提供されるので、ユーザが興味のある記事を探す手間が短縮される。しかし、ブログの記事を作成する手間は、以前と変わりなく発生していた。
【０００６】
本発明は、ブログの記事の作成を補助してブログの記事の作成を促進するブログ記事作成システム、装置及び方法を提供することを目的とする。
【課題を解決するための手段】
【０００７】
本発明者らは、電子メールを用いた方法によってブログの記事の作成を補助することを見出し、本発明を完成するに至った。本発明は、具体的には次のようなものを提供する。
【０００８】
（１）  記事サーバに対して通信可能に接続され、ブログの記事を作成するブログ記事作成装置と、表示部を備えた固定端末と、前記固定端末の前記表示部より小さい表示部を備えた携帯端末と、が相互に通信ネットワークを介して接続されたブログ記事作成システムであって、前記ブログ記事作成装置は、前記固定端末から入力された前記ブログの記事を受信するブログ受信手段と、前記ブログ受信手段により受信した前記ブログの記事を記憶するブログ記事記憶手段と、前記ブログ記事記憶手段に記憶されている前記ブログの記事に基づいて、ブログのユーザが興味を持つ分野を特定する分野特定手段と、前記分野特定手段により特定された前記分野に対応する、Ｗｅｂページに含まれる記事を、前記記事サーバから取得する記事取得手段と、前記記事取得手段により取得した前記記事を、前記ブログのユーザの前記携帯端末に対して電子メールで配信するメール配信手段と、前記メール配信手段により配信した前記記事に関する返信を、前記携帯端末から電子メールで受信するメール受信手段と、前記メール受信手段により受信した前記記事の返信を内容に含むブログの記事を作成し、前記ブログ記事記憶手段に記憶させるブログ作成手段と、前記ブログ記事記憶手段に記憶された前記ブログの記事を公開するブログ公開手段と、前記記事を含む前記Ｗｅｂページに、前記ブログ公開手段により公開された前記ブログの記事のリンクを生成させるリンク生成手段と、を備えるブログ記事作成システム。
【０００９】
本発明のこのような構成によれば、ブログ記事作成システムは、ブログ記事作成装置がブログの記事の材料としてブログのユーザが興味を持つ分野の記事をユーザのブログから特定して、電子メールで配信するので、ブログの記事の材料を自動的にユーザに与えることができる。そして、ブログ記事作成装置は、送信された記事の感想等が電子メールで返信されることで、記事の返信を内容に含むブログの記事を作成するので、ブログの記事の作成を促進でき、ブログの活性化につなげることができる。
【００１０】
（２）  前記ブログ記事作成装置は、キーワードと、そのキーワードの属する分野とを関連付けて記憶する分野情報記憶手段を備え、前記ブログ記事作成装置の前記分野特定手段は、前記ブログ記事記憶手段に記憶された前記ブログのユーザの前記ブログの記事に含まれるキーワードに基づいて、前記分野情報記憶手段を参照して、前記キーワードに対応する前記分野を特定する、（１）に記載のブログ記事作成システム。
【００１１】
本発明のこのような構成によれば、ブログ記事作成システムは、ブログ記事作成装置がキーワードと、キーワードの属する分野とを関連付けた分野情報記憶手段を備えるので、ブログの記事に含まれるキーワードに基づいて、そのブログの記事の分野を簡単に特定することができる。
【００１２】
（３）  前記ブログ記事作成装置は、前記メール受信手段により受信した前記記事に関する返信を、他のブログのユーザの前記携帯端末に対して電子メールで配信するメール転送手段を備え、前記ブログ記事作成装置の前記メール受信手段は、前記メール転送手段により配信した前記返信に関する更なる返信を、前記他のブログのユーザの前記携帯端末から電子メールで受信する、（１）又は（２）に記載のブログ記事作成システム。
【００１３】
本発明のこのような構成によれば、ブログ記事作成システムは、ブログ記事作成装置が記事に関する返信を他のブログのユーザに電子メールで転送して、更なる返信が電子メールで受信されることで、記事に関する返信の他に、更なる返信の内容をもブログの記事として作成することができる。
【００１４】
（４）  記事サーバ、固定端末及び携帯端末に対して通信可能に接続され、ブログの記事を作成するブログ記事作成装置であって、前記固定端末から入力された前記ブログの記事を受信するブログ受信手段と、前記ブログ受信手段により受信した前記ブログの記事を記憶するブログ記事記憶手段と、前記ブログ記事記憶手段に記憶されている前記ブログの記事に基づいて、ブログのユーザが興味を持つ分野を特定する分野特定手段と、前記分野特定手段により特定された前記分野に対応する、Ｗｅｂページに含まれる記事を、前記記事サーバから取得する記事取得手段と、前記記事取得手段により取得した前記記事を、前記ブログのユーザの前記携帯端末に対して電子メールで配信するメール配信手段と、前記メール配信手段により配信した前記記事に関する返信を、前記携帯端末から電子メールで受信するメール受信手段と、前記メール受信手段により受信した前記記事の返信を内容に含むブログの記事を作成し、前記ブログ記事記憶手段に記憶させるブログ作成手段と、前記ブログ記事記憶手段に記憶された前記ブログの記事を公開するブログ公開手段と、前記記事を含む前記Ｗｅｂページに、前記ブログ公開手段により公開された前記ブログの記事のリンクを生成させるリンク生成手段と、を備えるブログ記事作成装置。
【００１５】
（５）  記事サーバに対して通信可能に接続され、ブログの記事を作成するブログ記事作成装置と、表示部を備えた固定端末と、前記固定端末の前記表示部より小さい表示部を備えた携帯端末と、が相互に通信ネットワークを介して接続されたブログ記事作成システムによるブログ記事作成方法であって、前記ブログ記事作成装置が、前記固定端末から入力された前記ブログの記事を受信するブログ受信ステップと、前記ブログ記事作成装置が、前記ブログ受信ステップにより受信した前記ブログの記事を記憶するブログ記事記憶ステップと、前記ブログ記事作成装置が、記憶されている前記ブログの記事に基づいて、ブログのユーザが興味を持つ分野を特定する分野特定ステップと、前記ブログ記事作成装置が、前記分野特定ステップにより特定された前記分野に対応する、Ｗｅｂページに含まれる記事を、前記記事サーバから取得する記事取得ステップと、前記ブログ記事作成装置が、前記記事取得ステップにより取得した前記記事を、前記ブログのユーザの前記携帯端末に対して電子メールで配信するメール配信ステップと、前記ブログ記事作成装置が、前記メール配信ステップにより配信した前記記事に関する返信を、前記携帯端末から電子メールで受信するメール受信ステップと、前記ブログ記事作成装置が、前記メール受信ステップにより受信した前記記事の返信を内容に含むブログの記事を作成し記憶させるブログ作成ステップと、前記ブログ記事作成装置が、記憶された前記ブログの記事を公開するブログ公開ステップと、前記ブログ記事作成装置が、前記記事を含む前記Ｗｅｂページに、前記ブログ公開ステップにより公開された前記ブログの記事のリンクを生成させるリンク生成ステップと、を含むブログ記事作成方法。
【発明の効果】
【００１６】
本発明によれば、ブログの記事の材料としてブログのユーザが興味を持つ分野の記事を電子メールで配信することでブログの記事の材料を自動的にブログのユーザに与え、送信された記事の感想等が電子メールで返信されることで、記事の返信を内容に含むブログの記事を自動的に作成する、といった、ブログの記事の作成を補助してブログの記事の作成を促進するブログ記事作成システム、装置及び方法を提供することができる。
【図面の簡単な説明】
【００１７】
【図１】第１実施形態に係るブログ記事作成システムの全体構成及びブログ記事作成装置の機能構成を示す図である。
【図２】第１実施形態に係るブログ記事作成装置の記憶部に記憶された各種ＤＢの例を示す図である。
【図３】第１実施形態に係るブログ記事作成装置のメール配信処理のフローチャートである。
【図４】第１実施形態に係る電子メールの例を示す図である。
【図５】第１実施形態に係るブログ記事作成装置のブログ作成処理のフローチャートである。
【図６】第２実施形態に係るブログ記事作成システムの全体構成及びブログ記事作成装置の機能構成を示す図である。
【図７】第２実施形態に係るブログ記事作成装置の分野特定処理のフローチャートである。
【図８】第２実施形態に係るブログ記事作成装置のメール配信処理のフローチャートである。
【図９】第２実施形態に係るブログ記事作成装置のブログ作成処理のフローチャートである。
【発明を実施するための形態】
【００１８】
以下、本発明を実施するための形態について、図を参照しながら説明する。なお、これは、あくまでも一例であって、本発明の技術的範囲はこれに限られるものではない。
【００１９】
（第１実施形態）
［ブログ記事作成システム１００の全体構成及びブログ記事作成装置１の機能構成］
図１は、第１実施形態に係るブログ記事作成システム１００の全体構成及びブログ記事作成装置１の機能構成を示す図である。図２は、第１実施形態に係るブログ記事作成装置１の記憶部２０に記憶された各種ＤＢの例を示す図である。
【００２０】
図１に示すように、ブログ記事作成システム１００は、ブログ記事作成装置１と、記事サーバ３と、ユーザ端末５（固定端末としてのパソコン５Ａ（パーソナルコンピュータ）及び携帯端末としての携帯電話機５Ｂ）と、通信ネットワーク９とにより構成される。
【００２１】
ブログ記事作成装置１は、ユーザ（ブログのユーザ）のブログ記事（ブログの記事）からユーザの興味を持つ分野を特定し、その分野の記事を記事サーバ３から取得して電子メールを用いてその記事を携帯電話機５Ｂに配信する。そして、ブログ記事作成装置１は、その記事の感想等を電子メールで受信することで、記事の返信を内容にするブログを作成する装置である。ブログ記事作成装置１は、制御部１０と、記憶部２０とを備える。
【００２２】
制御部１０は、ブログ受信手段としてのブログ受信部１１と、分野特定手段としての分野特定部１２と、記事取得手段としての記事取得部１３と、メール配信手段としてのメール配信部１４と、メール受信手段としてのメール受信部１５と、ブログ作成手段としてのブログ作成部１７と、ブログ公開手段としてのブログ公開部１８と、リンク生成手段としてのリンク生成部１９とを備える。
【００２３】
ブログ受信部１１は、パソコン５Ａから入力されたブログ記事を受信する制御部である。ここで、ブログ記事とは、ブログを構成する１つ１つの記事をいう。
【００２４】
分野特定部１２は、ブログ記事に含まれるキーワードに基づいて、後述する分野情報ＤＢ２２（ＤＢ：データベース）を参照して、キーワードに対応する分野を特定する制御部である。
【００２５】
記事取得部１３は、分野特定部１２により特定された分野の記事を、記事サーバ３から取得する制御部である。
【００２６】
メール配信部１４は、記事取得部１３により取得した記事を本文に含む電子メールを、ブログ記事のユーザの携帯電話機５Ｂに対して配信する制御部である。電子メールの本文は、記事の内容そのものがテキストとして記載されたものでもよいし、記事の題名又は要約と、その記事が格納された記事サーバ３のＵＲＬ（Ｕｎｉｆｏｒｍ  Ｒｅｓｏｕｒｃｅ  Ｌｏｃａｔｏｒ）のリンクとで構成してもよい。つまり、電子メールを受信した携帯電話機５Ｂでその記事の内容が閲覧できれば、方法は問わない。
【００２７】
メール受信部１５は、携帯電話機５Ｂから、例えば、送信した電子メールの引用付きの返信にその記事に関する感想等を含んだ電子メールを受信する制御部である。
【００２８】
ブログ作成部１７は、メール受信部１５により受信した電子メールに含まれる記事の返信を内容にしたブログ記事を作成する制御部である。ブログ作成部１７は、例えば、記事の引用と、それに対する感想等とを一緒にして、１つのブログ記事を作成する。また、ブログ作成部１７は、作成したブログ記事を後述するブログ記事ＤＢ２１に記憶させる。
【００２９】
ブログ公開部１８は、ブログ作成部１７により作成され、ブログ記事ＤＢ２１に記憶されたブログ記事を公開する制御部である。
【００３０】
リンク生成部１９は、ブログ作成部１７により作成されたブログ記事のリンクを、記事を含むＷｅｂページに生成する制御部である。具体的には、リンク生成部１９は、記事サーバ３に対して、ブログ記事のＵＲＬや記事を含むＷｅｂページのＵＲＬ等の情報を通知する。そのようにすることで、記事サーバ３は、記事サーバ３の記事を含むＷｅｂページに、ブログ記事のリンクを張ることができる。
【００３１】
記憶部２０は、ブログ記事ＤＢ２１と、分野情報ＤＢ２２と、ユーザＤＢ２３とを備える。
【００３２】
ブログ記事ＤＢ２１は、ブログ記事を記憶するＤＢである。図２（ａ）は、ブログ記事ＤＢ２１の一例である。ブログ記事ＤＢ２１は、ユーザＩＤ２１ａと、ブログＩＤ２１ｂと、ブログ記事２１ｃとの各項目を有する。ユーザＩＤ２１ａは、ブログ記事を作成したユーザを一意に特定する記号を格納する。ブログＩＤ２１ｂは、ブログ記事を一意に特定する記号を格納する。ブログＩＤ２１ｂに格納するブログＩＤは、ブログ記事作成装置１によりランダムに決定される。ブログ記事２１ｃは、ブログ記事そのものを格納する。
【００３３】
分野情報ＤＢ２２は、キーワードと分野とを対応付けて記憶するＤＢである。図２（ｂ）は、分野情報ＤＢ２２の一例である。分野情報ＤＢ２２は、キーワード２２ａと、分野２２ｂとの各項目を有する。キーワード２２ａは、分野に関連のあるキーワードを格納する。分野２２ｂは、キーワードから共通に連想する範囲の単語を格納する。分野２２ｂに格納する分野は、記事サーバ３が記憶する記事のカテゴリやジャンルと同じであることが望ましい。
【００３４】
ユーザＤＢ２３は、ユーザＩＤとメールアドレスとを対応付けて記憶するＤＢである。図２（ｃ）は、ユーザＤＢ２３の一例である。ユーザＤＢ２３は、ユーザＩＤ２３ａと、メールアドレス２３ｂとの各項目を有する。ユーザＩＤ２３ａに格納する記号は、ユーザを一意に特定する記号であり、ユーザＩＤ２１ａと同様である。ユーザＩＤ２３ａに格納するユーザＩＤは、ブログ記事作成装置１においてブログ記事を作成するために、ユーザにより予めブログ記事作成装置１にユーザ登録する際に決定される。ユーザＩＤは、ユーザ自らが決定したものであってもよいし、ブログ記事作成装置１によりランダムに決定されてもよい。メールアドレス２３ｂは、ユーザＩＤに対応するユーザのメールアドレスを格納する。メールアドレス２３ｂに格納したメールアドレスは、電子メールの送信に使用される。そして、これらのメールアドレスを宛先に設定した電子メールは、該当のユーザの携帯電話機５Ｂに送信される。
【００３５】
第１実施形態のブログ記事作成装置１のハードウェアは、一般的なコンピュータによって構成してもよい。一般的なコンピュータは、例えば、制御部１０として、中央処理装置（ＣＰＵ）を備える他、記憶部２０として、メモリ（ＲＡＭ、ＲＯＭ）、ハードディスク（ＨＤＤ）及び光ディスク（ＣＤ、ＤＶＤ等）を、ネットワーク通信装置として、各種有線及び無線ＬＡＮ装置を、表示装置として、例えば、液晶ディスプレイ、プラズマディスプレイ等の各種ディスプレイを、入力装置として、例えば、キーボード及びポインティング・デバイス（マウス、トラッキングボール等）を適宜備え、これらはバスラインにより接続されている。このような一般的なコンピュータにおいて、ＣＰＵは、ブログ記事作成装置１を統括的に制御し、各種プログラムを適宜読み出して実行することにより、上述したハードウェアと協働し、本発明に係る各種機能を実現している。
【００３６】
記事サーバ３は、記事を含むＷｅｂページを管理するサーバであり、Ｗｅｂページを記憶する記憶部と、記事サーバ３の全体を制御する制御部とを備える。記事サーバ３のハードウェアは、一般的なコンピュータによって構成してよい。なお、記事サーバ３に記憶されたＷｅｂページの記事は、例えば、ニュース記事や、専門的な記事である。Ｗｅｂページは、記事の分野をメタデータとして有していてもよい。
【００３７】
ユーザ端末５は、例えば、パソコン５Ａに代表される固定端末と、携帯電話機５Ｂに代表される携帯端末とを含む。パソコン５Ａは、ブログ記事を作成してブログ記事作成装置１にアップロードする端末である。携帯電話機５Ｂは、電子メールの送受信を行う端末である。パソコン５Ａの表示部は、携帯電話機５Ｂの表示部より大きく、ブログ記事を作成するのに適している。パソコン５Ａは、主に自宅や勤務先に設置された端末であるが、持ち運びができてもよい。ユーザ端末５は、通信機能を有し、ブログ記事をアップしたり、電子メールの送受信を行うためのソフトウェアを有する端末であれば、パソコン５Ａや携帯電話機５Ｂに限らず、どのような端末でもよい。
【００３８】
通信ネットワーク９は、ブログ記事作成装置１と、記事サーバ３と、ユーザ端末５との間で通信を行うための、例えば、インターネット等の通信回線である。通信ネットワーク９は、有線であってもよいし、その一部又は全部が無線であってもよい。
【００３９】
［ブログ記事作成装置１の処理］
次に、ブログ記事作成装置１での処理について説明する。図３は、第１実施形態に係るブログ記事作成装置１のメール配信処理のフローチャートである。図４は、第１実施形態に係る電子メールの例を示す図である。図５は、第１実施形態に係るブログ記事作成装置１のブログ作成処理のフローチャートである。
【００４０】
まず、メール配信処理について説明する。図３において、例えば、あるユーザがパソコン５Ａからブログ記事作成装置１に対してログインして、ブログ記事の作成を指示することで、本処理が開始される。
【００４１】
Ｓ１１：制御部１０は、ブログ記事ＤＢ２１からブログ記事の作成を指示した所定のユーザのブログ記事を抽出する。抽出するブログ記事は、最新のブログ記事であってもよいし、直近の所定数（例えば、１０個等）のブログ記事であってもよい。なお、ブログ記事ＤＢ２１に記憶されたブログ記事は、ブログ受信部１１が予めパソコン５Ａから受信したものである。
【００４２】
Ｓ１２：制御部１０は、Ｓ１１で抽出したブログ記事からキーワードを抽出する。キーワードの抽出は、例えば、ブログ記事を構成するテキストを形態素解析して、そこから使用頻度の高いワードを抽出することで実現できる。なお、制御部１０は、ＴＦ（Ｔｅｒｍ  Ｆｒｅｑｕｅｎｃｙ）・ＩＤＦ（Ｉｎｖｅｒｓｅ  Ｄｏｃｕｍｅｎｔ  Ｆｒｅｑｕｅｎｃｙ）を使用して、注目度の高いワードをキーワードとして抽出してもよい。
【００４３】
Ｓ１３：制御部１０（分野特定部１２）は、分野情報ＤＢ２２を参照して、Ｓ１２で抽出したキーワードに基づき分野を特定する。例えば、図２（ａ）のブログ記事ＤＢ２１の例で、ユーザＩＤ２１ａが「Ｕ０３０４」で、ブログＩＤ２１ｂが「Ｂ３５４８１５４」のブログ記事の場合であって、キーワードとして「首相」が抽出された場合には、制御部１０（分野特定部１２）は、図２（ｂ）の分野情報ＤＢ２２を参照して、分野を「政治」に特定する。このように、ブログ記事作成装置１は、分野情報ＤＢ２２を用いることで、ブログ記事に含まれるキーワードに基づいて、そのブログ記事の分野を簡単に特定することができる。
【００４４】
図３に戻り、Ｓ１４：制御部１０（記事取得部１３）は、記事サーバ３からＳ１３で特定された分野の記事を取得する。具体的には、制御部１０は、記事サーバ３に対してＳ１３で特定された分野を含んだ記事要求データを送信する。記事サーバ３において、記事要求データに基づきその分野の記事を記憶部から抽出してブログ記事作成装置１に対して送信することで、制御部１０は、要求したＳ１３で特定された分野の記事を取得する。
【００４５】
Ｓ１５：制御部１０（メール配信部１４）は、Ｓ１４で取得した記事を電子メールの本文にし、ユーザの宛先を指定した電子メールを作成する。制御部１０は、ユーザＤＢ２３（図２）を参照することで、ユーザの宛先のメールアドレスを取得して指定する。
【００４６】
ここで、ブログ記事作成装置１で作成する、携帯電話機５Ｂに配信する電子メールの例を、図４（ａ）に基づいて説明する。図４（ａ）に示す例は、「政治」の分野に関する記事を本文にし、「政治」の分野に興味のある、ユーザＩＤが「Ｕ０３０４」のユーザに対して送信する電子メールのメールコンテンツ５０である。図４（ａ）に示すメールコンテンツ５０は、宛先部５１と、標題部５２と、本文部５３と、送信元指定部５４とを有する。
【００４７】
宛先部５１には、制御部１０が取得した、電子メールの送信先のユーザのメールアドレスが配置される。標題部５２には、記事サーバ３から取得した記事の題名が配置される。本文部５３には、記事サーバ３から取得した記事の本文が配置される。送信元指定部５４には、ブログ記事作成装置１のメールアドレスが配置される。送信元指定部５４をブログ記事作成装置１のメールアドレスにすることで、携帯電話機５Ｂにおいてユーザが電子メールを閲覧後、感想等を記入して返信する際に、ブログ記事作成装置１に対して電子メールを返信することができる。
【００４８】
図３に戻り、Ｓ１６：制御部１０（メール配信部１４）は、Ｓ１５で作成した電子メールを指定されたメールアドレス宛に送信する。その後、制御部１０は、本処理を終了する。
【００４９】
次に、ブログ記事作成装置１でのブログ作成処理について説明する。
【００５０】
図５のＳ２１：制御部１０（メール受信部１５）は、携帯電話機５Ｂが送信した電子メールを受信する。図４（ｂ）は、ブログ記事作成装置１が携帯電話機５Ｂから受信した電子メールの例である。図４（ｂ）は、図４（ａ）に示したメールコンテンツ５０に対して、携帯電話機５Ｂで編集して返信したメールコンテンツ６０である。図４（ｂ）に示すメールコンテンツ６０は、宛先部６１と、標題部６２と、本文部６３と、送信元指定部６４とを有する。
【００５１】
宛先部６１には、携帯電話機５Ｂにおいて、電子メールの「返信」を選択した際に自動的に入力される、メールコンテンツ５０の送信元のアドレスであるブログ記事作成装置１のメールアドレスが配置される。標題部６２には、電子メールの「返信」を選択した際に自動的に入力される、返信であることを示す題名が配置される。本文部６３には、図４（ａ）の本文部５３に有する記事サーバ３から取得した記事の本文を引用し、携帯電話機５Ｂにおいてユーザが追加記入した、記事に関する感想等の返信の内容が追加されて配置される。送信元指定部６４には、メールコンテンツ５０の送信先として指定されたユーザのメールアドレスが自動的に配置される。
【００５２】
図５に戻り、Ｓ２２：制御部１０（ブログ作成部１７）は、受信した電子メールの本文を用いたブログ記事を作成する。制御部１０は、例えば、引用された記事の内容と、それについての感想等の返信の内容とを関連させたブログ記事を作成する。
【００５３】
Ｓ２３：制御部１０（ブログ作成部１７）は、Ｓ２２で作成したブログ記事を、感想を電子メールで送信したユーザのユーザＩＤに対応付けてブログ記事ＤＢ２１に記憶させる。
【００５４】
Ｓ２４：制御部１０（ブログ公開部１８）は、Ｓ２３で記憶したブログ記事を公開して、ユーザ端末５から参照できるようにする。
【００５５】
Ｓ２５：制御部１０（リンク生成部１９）は、リンク生成処理を行う。リンク生成処理として、制御部１０は、記事サーバ３の記事を含むＷｅｂページにＳ２２で作成したブログ記事のリンクを張るために、ブログ記事のＵＲＬと、記事を含むＷｅｂページのＵＲＬとを含むリンク生成指示データを作成する。そして、リンク生成部１９は、リンク生成指示データを記事サーバ３に対して送信する。そのようにすることで、記事サーバ３では、Ｗｅｂページにブログ記事のリンクを生成することができる。その後、制御部１０は、本処理を終了する。
【００５６】
このように、ブログ記事作成装置１は、ブログ記事の材料としてユーザが興味を持つ分野の記事をユーザのブログから特定して電子メールで配信するので、ブログの記事の材料を自動的にユーザに与えることができる。そして、ブログ記事作成装置１は、送信された記事の感想等の記事の返信が電子メールで返信されることでブログ記事を作成するので、ブログ記事の作成を促進でき、ブログの活性化につなげることができる。
【００５７】
（第２実施形態）
第１実施形態では、ユーザのブログ記事に基づいてユーザが興味を持つ分野の記事を取得して、電子メールでその記事をユーザに配信し、ユーザがその記事の感想等を電子メールで返信することで、電子メールの記事の返信からブログ記事を作成するものであった。第２実施形態では、ユーザが記事の感想等を電子メールで返信した後に、同じ分野に興味を有する他のユーザ（他のブログのユーザ）に対してその電子メールを転送し、他のユーザが更に感想等を電子メールで返信することで、電子メールの記事の返信からブログ記事を作成する形態を説明する。なお、以降の説明において、上述した第１実施形態と同様の機能を果たす部分には、同一の符号又は末尾に同一の符号を付して、重複する説明を適宜省略する。
【００５８】
［ブログ記事作成システム２００の全体構成及びブログ記事作成装置２０１の機能構成］
図６は、第２実施形態に係るブログ記事作成システム２００の全体構成及びブログ記事作成装置２０１の機能構成を示す図である。
【００５９】
ブログ記事作成システム２００は、ブログ記事作成装置２０１と、記事サーバ３と、ユーザ端末５（パソコン５Ａ及び携帯電話機５Ｂ）と、通信ネットワーク９とにより構成される。
【００６０】
ブログ記事作成装置２０１は、制御部２１０と、記憶部２２０とを備える。制御部２１０は、ブログ受信部１１と、記事取得部１３と、メール配信部１４と、ブログ公開部１８と、リンク生成部１９との他に、分野特定手段としての分野特定部２１２と、メール受信手段としてのメール受信部２１５と、メール転送手段としてのメール転送部２１６と、ブログ作成手段としてのブログ作成部２１７とを備える。
【００６１】
分野特定部２１２は、各ユーザのブログ記事に含まれるキーワードに基づいて、分野情報ＤＢ２２を参照してキーワードに対応する分野を特定する制御部である。また、分野特定部２１２は、特定した各ユーザの分野を、ユーザＤＢ２２３に格納する。
【００６２】
メール受信部２１５は、送信した電子メールの返信として、送信した記事に関する感想等の記事の返信を含む電子メールを携帯電話機５Ｂから受信する制御部である。また、メール受信部２１５は、転送した電子メールの返信として、送信した記事に関する感想等の記事の返信に対する更なる感想等の記事の返信を含む電子メールを携帯電話機５Ｂから受信する制御部である。
【００６３】
メール転送部２１６は、メール受信部２１５により受信した電子メールが転送された電子メールではない場合に、その電子メールを、興味を持つ分野がユーザと同じ他のユーザの携帯電話機５Ｂに対して転送する制御部である。
【００６４】
ブログ作成部２１７は、メール受信部２１５により受信した電子メールに含む記事の返信を内容にしたブログ記事を作成する制御部である。ブログ作成部２１７は、最初に記事の返信を送信したユーザと、その後更に記事の返信を送信したユーザとの両者のブログ記事として、ブログ記事を作成する。また、ブログ作成部２１７は、作成したブログ記事をブログ記事ＤＢ２１に記憶させる。
【００６５】
記憶部２２０は、ブログ記事ＤＢ２１と、分野情報ＤＢ２２との他に、ユーザＤＢ２２３を備える。
【００６６】
ユーザＤＢ２２３は、ユーザＩＤとメールアドレスとの他に、ユーザが興味を持つ分野を対応付けて記憶するＤＢである。ユーザが興味を持つ分野は、そのユーザのブログ記事から特定され、ユーザＤＢ２２３に格納される。
【００６７】
［ブログ記事作成装置２０１の処理］
次に、ブログ記事作成装置２０１での処理について説明する。図７は、第２実施形態に係るブログ記事作成装置２０１の分野特定処理のフローチャートである。図８は、第２実施形態に係るブログ記事作成装置２０１のメール配信処理のフローチャートである。図９は、第２実施形態に係るブログ記事作成装置２０１のブログ作成処理のフローチャートである。
【００６８】
図７に示す分野特定処理は、ブログ記事作成装置２０１により予め実行されることで、ユーザＤＢ２２３が作成されるものである。
【００６９】
Ｓ２０１：制御部２１０は、各ユーザのブログ記事をブログ記事ＤＢ２１から抽出する。なお、ブログ記事ＤＢ２１に記憶されたブログ記事は、ブログ受信部１１が予めパソコン５Ａから受信したものを含む。
【００７０】
Ｓ２０２：制御部２１０は、Ｓ２０１で抽出した各ユーザのブログ記事からキーワードを各々抽出する。
【００７１】
Ｓ２０３：制御部２１０（分野特定部２１２）は、分野情報ＤＢ２２を参照して、Ｓ２０２で抽出したキーワードに基づき、各々のユーザの分野を特定する。
【００７２】
Ｓ２０４：制御部２１０（分野特定部２１２）は、Ｓ２０３で特定した各々のユーザの分野を、各ユーザのユーザＩＤに対応付けてユーザＤＢ２２３に記憶させる。その後、制御部２１０は、本処理を終了する。
【００７３】
次に、メール配信処理について説明する。図８において、例えば、あるユーザがパソコン５Ａからブログ記事作成装置２０１に対してログインして、ブログ記事の作成を指示することで、本処理が開始される。
【００７４】
Ｓ２１１：制御部２１０は、ブログ記事の作成を指示した所定のユーザの分野をユーザＤＢ２２３を参照して抽出する。
【００７５】
Ｓ２１２〜Ｓ２１４：第１実施形態のＳ１４〜Ｓ１６（図３）の処理と同様である。
【００７６】
次に、ブログ作成処理について説明する。
【００７７】
図９のＳ２２１：制御部２１０（メール受信部２１５）は、携帯電話機５Ｂにより送信された電子メールを受信する。
【００７８】
Ｓ２２２：制御部２１０は、受信した電子メールが転送されたものか否かを判断する。受信した電子メールが転送されたものである場合（Ｓ２２２：ＹＥＳ）には、制御部２１０は、処理をＳ２３１に移す。他方、受信した電子メールが転送されたものではない場合（Ｓ２２２：ＮＯ）には、制御部２１０は、処理をＳ２２３に移す。
【００７９】
Ｓ２２３：制御部２１０（メール転送部２１６）は、受信した電子メールの分野と同じ分野に興味を持つユーザを、ユーザＤＢ２２３を参照して特定する。
【００８０】
Ｓ２２４：制御部２１０（メール転送部２１６）は、受信した電子メールを電子メールの本文にし、Ｓ２２３にて特定したユーザの携帯電話機５Ｂの宛先を指定した電子メールを作成する。
【００８１】
Ｓ２２５：制御部２１０（メール転送部２１６）は、Ｓ２２４で作成した電子メールを指定されたメールアドレス宛に送信する。その後、制御部２１０は、本処理を終了する。
【００８２】
Ｓ２３１：制御部２１０（ブログ作成部２１７）は、Ｓ２２１で受信した、転送された電子メールの本文を用いたブログ記事を作成する。制御部２１０（ブログ作成部２１７）は、例えば、引用された記事の内容と、それについての感想等の記事の返信の内容と、感想等の記事の返信に対する更なる感想等の記事の返信の内容とを関連付けたブログ記事を作成する。
【００８３】
Ｓ２３２：制御部２１０（ブログ作成部２１７）は、Ｓ２３１で作成したブログ記事を、感想等の記事の返信を送信した複数のユーザの各々のユーザＩＤに対応付けてブログ記事ＤＢ２１に記憶させる。
【００８４】
Ｓ２３３〜Ｓ２３４：第１実施形態のＳ２４〜Ｓ２５（図５）と同様である。
【００８５】
このように、ブログ記事作成装置２０１は、記事に関する感想等の記事の返信を他のユーザに電子メールで転送して、更なる感想等の記事の返信が電子メールで受信されることで、記事に関する感想の他に、更なる感想をもブログの記事として作成することができる。
【００８６】
なお、ブログ記事作成装置２０１は、返信された電子メールの内容を他のユーザに転送するものであったが、この他のユーザは、複数人であってもよい。
【００８７】
以上、本発明の実施形態について説明したが、本発明は、上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００８８】
１，２０１  ブログ記事作成装置
３      記事サーバ
５      ユーザ端末
１０，２１０  制御部
１１    ブログ受信部
１２，２１２  分野特定部
１３    記事取得部
１４    メール配信部
１５，２１５  メール受信部
１７，２１７  ブログ作成部
１８    ブログ公開部
１９    リンク生成部
２０，２２０  記憶部
２１    ブログ記事ＤＢ
２２    分野情報ＤＢ
２３，２２３  ユーザＤＢ
１００，２００  ブログ記事作成システム
２１６  メール転送部
【図１】
0005506479.tif 000002
【図２】
0005506479.tif 000003
【図３】
0005506479.tif 000004
【図４】
0005506479.tif 000005
【図５】
0005506479.tif 000006
【図６】
0005506479.tif 000007
【図７】
0005506479.tif 000008
【図８】
0005506479.tif 000009
【図９】
0005506479.tif 000010